(57)【要約】      （修正有）【課題】記録対象領域の外周部分のインクの滲みが印刷方向によって変化することなくシャープな画像を形成する。【解決手段】黒色として視認され得る、記録媒体に対する浸透性が相対的に高い第一のインクおよび浸透性が相対的に低い第二のインクを吐出可能な記録ヘッドで記録媒体を走査して画像を記録する際に、画像を記録すべき記録媒体の記録対象領域の少なくともエッジ部を第二のインクで記録し、エッジ部により囲まれる非エッジ部を前記第一のインクで記録する記録装置であって、記録ヘッドは、第一のインクを吐出可能な第一のノズル列２０２と、第二のインクを吐出可能な複数の第二のノズル列２０１および２０３とを備え、複数の第二のノズル列２０１および２０３は、記録ヘッドの走査方向において第一のノズル列２０２の両側に配置されている。【選択図】図９
2012040871.tif 000002
【特許請求の範囲】
【請求項１】
第一のインクと、前記第一のインクと同系色で且つ前記第一のインクよりも記録媒体に対する浸透性が相対的に低い第二のインクと、を吐出可能な記録ヘッドを記録媒体に対して走査させて画像を記録する走査手段と、
前記記録媒体に前記第一のインク及び前記第二のインクの少なくとも一方を用いて記録される画像に対応する記録領域のうち、前記第一及び第二のインクのいずれも吐出されない領域と隣接する領域であるエッジ領域に対して前記第一のインクを用いずに前記第二のインクを用いて記録し、前記エッジ領域と隣接する領域である非エッジ領域に対して前記少なくとも第一のインクを用いて記録するように前記記録ヘッドからのインクの吐出を制御する記録制御手段と、を有し、
前記記録ヘッドは、前記第一のインクを吐出可能な第一のノズル列と、前記第二のインクを吐出可能な複数の第二のノズル列とを備え、
前記複数の第二のノズル列は前記走査手段の走査方向に沿って配置され、前記第一のノズル列は前記複数の第二のノズル列の間に配置されている、ことを特徴とするインクジェット記録装置。
【請求項２】
前記記録制御手段は、前記複数の第二のノズル列のうちの、前記第一のノズル列よりも前記走査方向の後方のノズル列を用いて記録する記録率が、前記第一のノズル列よりも前記走査方向の前方のノズル列を用いて記録する記録率よりも高くなるように制御する、ことを特徴とする請求項１に記載の記録装置。
【請求項３】
前記記録制御手段は、前記外周領域に対する単位領域あたりの前記第二のインクの吐出量が、前記内部領域に対する単位領域あたりの前記第一のインクの吐出量よりも多くなるように制御する、ことを特徴とする請求項１に記載の記録装置。
【請求項４】
前記記録制御手段は、前記外周領域を、前記第二のインクのみで記録し、前記内部領域を前記第一のインクのみで記録するように制御する、ことを特徴とする請求項１に記載の記録装置。
【請求項５】
前記記録制御手段は、前記外周領域を、前記第二のインクのみで記録し、前記内部領域を前記第一および第二のインクで記録するように制御する、ことを特徴とする請求項１に記載の記録装置。
【請求項６】
前記第一のインクおよび第二のインクは、ブラックインクである、ことを特徴とする請求項１に記載の記録装置。
【請求項７】
ブラックインクに対応した記録データから、前記記録領域からエッジ領域と非エッジ領域とを検出する検出手段をさらに備える、ことを特徴とする請求項６に記載の記録装置。
【請求項８】
前記検出手段は、前記ブラックインクに対応した記録データにおいて４画素以内の幅を有する領域を前記エッジ領域として検出する、ことを特徴とする請求項７に記載の記録装置。
【請求項９】
第一のインクと、前記第一のインクと同系色で且つ前記第一のインクよりも記録媒体に対する浸透性が相対的に低い第二のインクを吐出可能な記録ヘッドを、記録媒体に対して走査させることにより画像を記録するインクジェット記録方法であって、
記録が行われない非記録領域と隣接する外周領域に対して前記第二のインクを用いて記録し、前記外周領域と隣接する内部領域に対して少なくとも前記第一のインクを用い、
前記内部領域を前記第一のインクで記録する先後において、前記外周領域を前記第二のインクでそれぞれ記録する、ことを特徴とする方法。
【発明の詳細な説明】
【技術分野】
【０００１】
本発明は、インクジェット式の記録装置および記録方法に関する。
【背景技術】
【０００２】
記録ヘッドのノズルからインク滴を吐出させて、印刷媒体上にドットを形成することにより画像を印刷するプリンタでは、ある領域を一色で塗りつぶす場合に、高い記録密度で記録対象領域にドットを記録する必要がある。そのような場合に、大量のインクが吐出されることによって、インクが記録対象領域外にまで滲み、記録対象領域の外周縁部を明確に印刷できなくなる可能性がある。この問題を解決するために、特許文献１は、記録対象領域の内部領域には相対的に浸透性の高いインク（以下、高浸透インクという）でドットを形成し、外周領域には相対的に浸透性の低いインク（以下、低浸透インクという）でドットを形成する技術を開示している。さらに、特許文献１は、記録対象領域の外周縁部をより明確にするために、先に内部領域に位置するドットを形成し、その後に外部領域に位置するドットを形成する構成を開示している。
【先行技術文献】
【特許文献】
【０００３】
【特許文献１】特開２００３−０１１３３７号公報
【発明の概要】
【発明が解決しようとする課題】
【０００４】
しかしながら、上記の技術のように浸透性の異なる２種類のインクを用いて記録を行う技術においては、以下のような課題が存在する。高浸透インクを吐出する記録ヘッドと低浸透インクを吐出する記録ヘッドの２つのヘッドを主走査方向に並べて、全ノズルを使用して双方向印刷した場合、往方向記録時と復方向記録時とで高浸透インクと低浸透インクの記録順番が異なってしまう。その結果、走査方向によって画質が変化してしまう。
【０００５】
本発明の目的は、記録対象領域の外周部分のインクの滲みが印刷方向によって変化することなくシャープな画像を形成可能なインクジェット記録装置および方法を提供することにある。
【課題を解決するための手段】
【０００６】
本発明に係る記録装置は、第一のインクと、前記第一のインクと同系色で且つ前記第一のインクよりも記録媒体に対する浸透性が相対的に低い第二のインクと、を吐出可能な記録ヘッドを記録媒体に対して走査させて画像を記録する走査手段と、前記記録媒体に前記第一のインク及び前記第二のインクの少なくとも一方を用いて記録される画像に対応する記録領域のうち、前記第一及び第二のインクのいずれも吐出されない領域と隣接する領域であるエッジ領域に対して前記第一のインクを用いずに前記第二のインクを用いて記録し、前記エッジ領域と隣接する領域である非エッジ領域に対して少なくとも前記第一のインクを用いて記録するように前記記録ヘッドからのインクの吐出を制御する記録制御手段と、を有し、前記記録ヘッドは、前記第一のインクを吐出可能な第一のノズル列と、前記第二のインクを吐出可能な複数の第二のノズル列とを備え、前記複数の第二のノズル列は前記走査手段の走査方向に沿って配置され、前記第一のノズル列は前記複数の第二のノズル列の間に配置されている、ことを特徴とする。
【０００７】
本発明に係る記録方法は、第一のインクと、前記第一のインクと同系色で且つ前記第一のインクよりも記録媒体に対する浸透性が相対的に低い第二のインクを吐出可能な記録ヘッドを、記録媒体に対して走査させることにより画像を記録するインクジェット記録方法であって、記録が行われない非記録領域と隣接する外周領域に対して前記第二のインクを用いて記録し、前記外周領域と隣接する内部領域に対して前記第一のインクを用い、前記内部領域を前記第一のインクで記録する先後において、前記外周領域を前記第二のインクでそれぞれ記録する、ことを特徴とする。
【発明の効果】
【０００８】
本発明によれば、記録対象領域の外周部分のインクの滲みが印刷方向によって変化することなくシャープな画像を形成することができる。
【図面の簡単な説明】
【０００９】
【図１】本発明の実施形態で使用される黒インクを吐出する記録ヘッド構成を示す図である。
【図２】本発明の実施形態で使用される記録装置の斜視図である。
【図３】本発明の実施形態で使用される記録装置のブロック図である。
【図４】本発明の実施形態で使用されるデータ処理フロー図である。
【図５】本発明の実施形態で使用される２値化処理の説明図である。
【図６】本発明の実施形態で使用されるエッジ処理のフロー図である。
【図７】本発明の実施形態のエッジデータと非エッジデータの説明図である。
【図８】実施形態１におけるデータ処理のフロー図である。
【図９】実施形態１における記録動作の説明図である。
【図１０】実施形態２におけるデータ処理のフロー図である。
【図１１】実施形態２における間引きマスクの図である。
【図１２】実施形態２における記録動作の説明図である。
【図１３】実施形態３におけるデータ処理のフロー図である。
【図１４】実施形態３における間引きマスクの図である。
【図１５】実施形態３における記録動作の説明図である。
【図１６】実施形態４におけるデータ処理のフロー図である。
【図１７】実施形態４における間引きマスクの図である。
【図１８】実施形態４における記録動作の説明図である。
【発明を実施するための形態】
【００１０】
図１に本発明の実施形態で使用する黒インクを吐出する記録ヘッドの構成を示す。図１において、走査方向B，Cにおいて、記録ヘッド１２は、２つの記録ヘッド１１R，１１Lで挟まれている。
【００１１】
記録ヘッド１２は、印刷媒体に相対的に浸透しやすい第一のインク（以下、高浸透インクという）を吐出可能な第一のノズル列N１２を備えている。記録ヘッド１１Lは、第一のインクよりも相対的に浸透性が低く、第一のインクと同系色の第二のインク（以下、低浸透インクという）を吐出可能な第二のノズル列N１１を備えている。記録ヘッド１１Rは、記録ヘッド１１Lと同様に、低浸透インクを吐出可能な第二のノズル列N１１を備えている。すなわち、記録ヘッド１１L，R、１２は、第一のインクを吐出可能な第一のノズル列と、第二のインクを吐出可能な複数の第二のノズル列とを備え、複数の第二のノズル列Ｎ１１は相対的な走査の方向に沿って配置され、第一のノズル列Ｎ１２は複数の第二のノズル列Ｎ１１の間に配置されている。
【００１２】
走査方向Bへ記録ヘッドが走査する場合には、記録ヘッド１１L、１２に続いて記録ヘッド１１Rで記録し、走査方向Cへ記録ヘッドが走査する場合には、記録ヘッド１１R、１２に続いて記録ヘッド１１Lで記録する。図２は、本発明で適用可能なカラーインクジェット記録装置の一実施形態の構成を示す概要斜視図である。インクタンク２０７〜２１２は、６つのインク（低浸透系黒、高浸透系黒、低浸透系黒、シアン、マゼンタ、イエロー：Ｋｅ、Ｋｍ、Ｋｅ、Ｃ、Ｍ、Ｙ）をそれぞれ収容しており、これら６つのインクを記録ヘッド２０１〜２０６に対して供給可能に構成されている。図１の黒インクを吐出する記録ヘッドとの対応は以下のようになっている。記録ヘッド２０１が記録ヘッド１１Ｌ、記録ヘッド２０２が記録ヘッド１２、記録ヘッド２０３が記録ヘッド１１Ｒに対応している。
【００１３】
搬送ローラ２１３、２１５は、補助ローラ２１４、２１６とともに記録媒体（記録用紙）２１８を挟持しながら回転して搬送するとともに、保持する役割も担っている。キャリッジ２１７は、インクタンク２０７〜２１２及び記録ヘッド２０１〜２０６を搭載可能であって、これら記録ヘッド及びインクタンクを搭載しながらＸ方向沿って往復移動可能に構成されている。このキャリッジ２１７の往復移動中に記録ヘッドからインクが吐出され、これにより記録媒体に画像が記録される。記録ヘッド２０１〜２０６の回復動作時等の非記録動作時には、このキャリッジ２１７は図中の点線で示したホームポジション位置ｈに待機するように制御される。
【００１４】
図２に示すホームポジションｈに待機している記録ヘッド２０１〜２０６は、記録開始命令が入力されると、キャリッジ２１７と共に図中Ｘ方向に移動しつつ、インクを吐出して記録媒体２１８上に画像を記録する。この記録ヘッドの１回の移動（走査）によって、記録ヘッド２０１〜２０６の吐出口の配列範囲に対応した幅を有する領域に画像が記録される。
【００１５】
記録ヘッド２０１〜２０６の主走査方向（Ｘの正の方向）への１回の走査に伴う記録が終了すると、キャリッジ２１７は逆方向（Ｘの負の方向）へ移動し、記録ヘッド２０１〜２０６で記録走査する。前回の記録走査が終了してから続く記録走査が始まる前には、搬送ローラ２１３、２１５が回転して、主走査方向と交差する副走査方向（Ｙ方向）へと記録媒体が搬送される。このように記録ヘッドの記録走査と記録媒体の搬送とを繰り返すことにより記録媒体２１８に対する画像の記録が完成する。記録ヘッド２０１〜２０６からインクを吐出する記録動作は、後述の制御手段による制御に基づいて行われる。
【００１６】
上記の例では、インクタンク２０７〜２１２と記録ヘッド２０１〜２０６とを分離可能にキャリッジ２１７に搭載する構成を示した。しかし、インクタンク２０７〜２１２と記録ヘッド２０１〜２０６とが一体となったカートリッジをキャリッジに搭載する形態を採用してもよい。さらに、一つの記録ヘッドから複数色のインクを吐出可能な複数色一体型のヘッドをキャリッジに搭載する形態を採用してもよい。
【００１７】
図３は、図２に示したカラーインクジェット記録装置の記録制御系回路の概略構成を示すブロック図である。インクジェット記録装置３００は、インターフェイス３０２を介して、ホストコンピュータ（以下、ホストＰＣ）３０３等のデータ供給装置に接続されている。データ供給装置から送信される各種データや記録に関連する制御信号等は、インクジェット記録装置３００の記録制御部３０１に入力される。記録制御部３０１は、インターフェイス３０２を介して入力された制御信号に従って後述のモータドライバ３０４、３０５やヘッドドライバ３０６を制御する。また、記録制御部３０１は、入力される画像データの処理を行う。３０７は、記録媒体２１８の搬送のために搬送ローラ２１３、２１５を回転させるための搬送モータである。３０８は、記録ヘッド２０１〜２０６を搭載するキャリッジ２１７を往復移動させるためのキャリッジモータである。３０４、３０５は、搬送モータ３０７、キャリッジモータ３０８をそれぞれ駆動するためのモータドライバである。３０６は記録ヘッド２０１〜２０６を駆動するヘッドドライバであり、記録ヘッドの数に対応して複数設けられている。
【００１８】
［実施形態１］
図４はインクジェット記録装置とホストＰＣとで構成される画像処理システムにおける画像データ処理を行う概略構成を示す機能ブロック図である。インクジェット記録装置の記録制御部３０１は、インターフェイス３０２を介して、プリンタドライバがインストールされたホストＰＣ３０３より転送されるデータ処理を行う。
【００１９】
ホストＰＣ３０３では、アプリケーションから入力画像データ４００を受け取り、受け取った入力画像データ４００を６００ｄｐｉの解像度でレンダリング処理４０１を行う。これによって、記録用多値ＲＧＢデータ４０２が生成される。本実施形態では、記録用多値ＲＧＢデータ４０２は８ｂｉｔのデータである。生成された記録用多値ＲＧＢデータ４０２は、記録制御部３０１に転送される。
【００２０】
記録制御部３０１では、記録用多値ＲＧＢデータ４０２をＫＣＭＹのインク色に対応した多値（８ｂｉｔ）ＫＣＭＹデータ４０４に変換するための色変換処理４０３を行う。次いで、多値（８ｂｉｔ）ＫＣＭＹデータ４０４を多値化処理４０５、例えば、誤差拡散によって３値化する。次に、３値化されたＫＣＭＹデータを図５に示すような２値化処理により、解像度６００ｄｐｉ×１２００ｄｐｉの２値ＫＣＭＹデータ４０７を生成する。
【００２１】
図５の（ａ）は６００ｄｐｉの３値化されたデータである。（ｂ）から（ｄ）の黒丸は２値に展開後の印刷データを示す。３値化されたデータのレベルにより、レベル０の場合は（ｂ）、レベル１の場合は（ｃ）、レベル２の場合は（ｄ）のように展開される。展開された２値ＫＣＭＹデータ４０７のうちのＫデータに対して、エッジ処理４０８を行う。
【００２２】
図６はエッジ処理を示す図である。２値Ｋデータ４０７Ｋに対して、非エッジ部検出処理６０１を行う。２値Ｋデータのうちの、画像の記録が行われない非記録領域と隣接するエッジ領域（外周領域）で囲まれる（に隣接する）非エッジ領域（内部領域）のデータ６０３が生成される。２値Ｋデータのうちの、非エッジ部データに該当しなかったデータを、エッジ部データ６０４とする。本実施形態では、Ｋデータの外周２画素（２ドット）を非エッジ部データとした。尚、前述の画像の記録が行われない非記録領域とは、ブラック（Ｋ）インクによる記録が行われない領域であり、他の色のインクが記録される領域であってもよい。すなわち、後述する低浸透インクと高浸透インクのいずれもが用いられない領域を示す。
【００２３】
図７に画像データをエッジ部データと非エッジ部データに分離した図を示す。図７（ａ）が入力された２値Ｋデータ４０７Ｋである。それに対して、非エッジ部検出処理６０１により検出されたエッジ部データは図７（ｂ）、非エッジ部データは図７（ｃ）となっている。本実施形態では、境界２画素をエッジデータとしたが、エッジ部の画素数に関しては、特にこれに限定するものではない。本発明の効果を得るためには、エッジ部の幅は４画素以内であることが望ましい。
【００２４】
図８に、記録ヘッド２０１〜２０３に供給するデータのフローを示す。非エッジ部データ６０３は、高浸透インクを吐出する記録ヘッド２０２に供給され、エッジ部データ６０４は、低浸透インクを吐出する記録ヘッド２０１および２０２に供給される。
【００２５】
図９に、図７に示された２値のエッジ部Ｋデータおよび非エッジ部Ｋデータの記録方法を示す。２０１〜２０３は、記録ヘッドを示す。記録ヘッド２０１および２０３からは、低浸透性の黒インク滴を吐出し、記録ヘッド２０２からは、高浸透性の黒インク滴を吐出する。まず、走査方向Cにキャリッジ２１７を走査しながら、図７の上半分のデータを記録する。その際、ヘッド２０１でエッジ部データのみを記録した後、ヘッド２０２で非エッジ部のみを記録し、さらに、ヘッド２０３でエッジ部データのみを記録する。すなわち、非エッジ部を第一のインクで記録する先後において、エッジ部を第二のインクでそれぞれ記録する。次に、記録媒体２１８を搬送した後、走査方向Bにキャリッジ２１７を走査しながら、図７の下半分のデータを記録する。その際、ヘッド２０３でエッジ部データを記録した後、ヘッド２０２で非エッジ部を記録し、さらに、ヘッド２０１でエッジ部データを記録する。すなわち、外周領域を、第一のインクのみで記録し、内部領域を第二のインクのみで記録する。
【００２６】
このように記録することにより、双方向印刷において低浸透性の黒インクと高浸透性の黒インクの記録順を同一にすることができる。それによって、走査方向Bで記録した場合と走査方向Cで記録した場合とで、境界部９００のエッジ部において、外周部に記録された低浸透性の黒インクが内部領域に記録された高浸透性の黒インクの滲みを同じように防止することができる。そのため、往路印刷と復路印刷とで境界部９００のシャープさが変化してしまうことを抑制でき、印刷方向によらない境界部９００のきれいな画像を印刷することができる。
【００２７】
また、本実施形態では、ヘッド２０１および２０３の記録率を例えば、それぞれ５０％、あるいは、ヘッド２０１および２０３の記録率の合計を例えば７５%とし、ヘッド２０２の記録率を、例えば、５０％とする。ここで、記録率とは単位領域に含まれる画素の内、記録を許容する画素の割合である。記録率を変更する一般的な手法としては、画素ごとにインク滴の吐出または非吐出を定めた２値の記録データに対して、画素ごとにインク滴の吐出を許容するかを定めたマスクパターンを適用し、記録データを間引くことにより行われる。
【００２８】
これにより、エッジ部に対する単位領域当たりの低浸透インク量の吐出量が、非エッジ部に対する単位領域あたりの高浸透インクの吐出量よりも多くでき、エッジ部のインク量を非エッジ部のインク量より多く塗布することができる。これにより、境界部９００における内部領域に記録された高浸透インクの滲み抑制効果を大きくすることができる。
【００２９】
本実施形態で使用した各ブラックインクの組成は次の通りである。なお、各成分の割合は質量部で示したものである（各成分の合計は１００質量部）。
【００３０】
（高浸透インク）
顔料分散液                                        ５０質量部
グリセリン                                        ６質量部
ジエチレングリコール                              ５質量部
アセチレノールＥＨ（川研ファインケミカル製）      １質量部
水                                                残部
【００３１】
（低浸透インク）
顔料分散液                                        ５０質量部
グリセリン                                        ６質量部
ジエチレングリコール                              ５質量部
アセチレノールＥＨ（川研ファインケミカル製）      ０．１質量部
水                                                残部
また、上記顔料分散液次のようにして得たものである。
【００３２】
［顔料分散液］
表面積が２３０ｍ2／ｇでＤＢＰ吸油量が７０ｍｌ／１００ｇのカーボンブラック１０ｇとｐ−アミノ安息香酸３．４１ｇとを水７２ｇによく混合した後、これに硝酸１．６２ｇを滴下して７０℃で攪拌した。数分後５ｇの水に１．０７ｇの亜硝酸ナトリウムを溶かした溶液を加え、更に１時間攪拌した。得られたスラリーを東洋濾紙Ｎｏ．２（アドバンティス社製）でろ過し、顔料粒子を十分に水洗し、９０℃のオーブンで乾燥させた後、この顔料に水を足して顔料濃度１０質量％の顔料水溶液を作成した。以上の方法により、下記式に示した様に表面に、フェニル基を介して親水性基が結合したアニオン性に帯電した自己分散型カーボンブラックが分散した顔料分散液を得た。
【００３３】
本実施形態においては、アセチレノールＥＨ（商品名；川研ファインケミカル社製）（エチレンオキサイド−２，４，７，９−テトラメチル−５−デシン−４，７−ジオール(ethylene oxide-2,4,7,9-tetramethyl-5-decyne-4,7-diol)）という界面活性剤によって高浸透インクと低浸透インクの浸透性を相対的に変化させているが、そのほかの溶剤によって変化させても良い。
【００３４】
本実施形態で採用したインク組成は、各製品が狙う製品像によって変化させるべきである。上記組成は本発明が適用できる１例であり、同一色相で、相対的な浸透性が異なる２つのインクを用いることができる。
【００３５】
本実施形態で用いた色材は自己分散型顔料と呼ばれるものであり、顔料粒子に親水基が付いたものである。一方で、樹脂分散型顔料と呼ばれる、顔料粒子に樹脂が付いており、その樹脂の親水基が水溶性を発揮するものもある。筆者らの検討によれば、本発明を適用するためには、より望ましくは自己分散型顔料を使用した方が良いが、樹脂分散型顔料でも発明の効果は得られた。
【００３６】
［実施形態２］
本実施形態が、実施形態１と異なる点は、エッジ部のデータを間引いてかつ後から記録されるエッジ部のインク量を先行して記録するエッジ部のインク量より多くしている点である。具体的には、複数の第二のノズル列N１１のうちの、第一のノズル列N１２より走査方向において後方のノズル列N１１に与えられた記録率が、第一のノズル列N１２より走査方向において前方のノズル列N１１に与えられた記録率よりも高くなるように制御する。
【００３７】
図１０に本実施形態における記録ヘッド２０１〜２０３に供給するデータのフローを示す。非エッジ部データ６０３は、記録ヘッド２０２に供給される。エッジ部データ６０４は、記録方向判定（１０００）した後、間引きマスクを選択（１００１）し、間引き処理（１００２）をした後、記録ヘッド２０１、２０３に供給するデータを決定する。本実施形態では、間引き処理として図１１に示すように、記録ヘッド２０１、２０３の吐出口列と同じ縦サイズの８ｘ８の固定のマスクを使用する。マスクは、黒塗りつぶし部分のデータをＯＦＦするようになっている。固定の千鳥マスクを用いて間引き処理を実施しているが、パターンに関しては、特に限定するものではない。
【００３８】
本実施形態の記録動作を図１２に示す。まず、走査方向Cにキャリッジ２１７を走査しながら、図７の上半分のデータを記録する動作に関して説明する。非エッジ部データは、記録ヘッド２０２に供給される。一方、エッジ部データは、記録方向判定（１０００）した後、記録ヘッド２０１に供給するデータに対して図１１の間引きマスクをかけて供給する。さらに、記録ヘッド２０３にはマスクをかけずにデータを供給する。
【００３９】
次に、走査方向Bにキャリッジ２１７を走査しながら、図７の下半分のデータを記録する動作に関して説明する。非エッジ部データは、記録ヘッド２０２に供給される。一方、エッジ部データは、記録方向判定（１０００）した後、記録ヘッド２０３に供給するデータに対して図１１の間引きマスクをかけて供給する。さらに、記録ヘッド２０１にはマスクをかけずにデータを供給する。
【００４０】
このように高浸透性の黒インクが記録媒体に浸透した後の低浸透インクの量を多くすることで、外周部分において低浸透性の黒インクと高浸透性の黒インクの混合を抑制することができる。それによって、外周部の低浸透性の黒インクの塗布量は減少するものの、エッジのきれいな画像を出力することができる。また、実施形態１と同様に記録方向によらず、高浸透性の黒インクと低浸透性の黒インクのインク量と記録順を同じにすることができ、往路記録、復路記録によらず、同様にエッジのきれいな画像を出力することができる。
【００４１】
［実施形態３］
本実施形態が、実施形態１と異なる点は、エッジ部に加えて、非エッジ部のデータも低浸透性の黒インクを吐出する記録ヘッド２０１および２０３で記録している点である。
【００４２】
図１３に本実施形態における記録ヘッド２０１〜２０３に供給するデータのフローを示す。非エッジ部データ６０３は、記録ヘッド２０２に供給される。さらに、記録ヘッド選択１３０１において、記録ヘッド２０１に供給するか記録ヘッド２０３に供給するかを選択した後、間引き処理（１３０２）をしたデータとエッジ部データ６０４とをＡＮＤしたデータを記録ヘッド２０１、２０３に供給する。本実施形態では、間引き処理として図１４に示すように、記録ヘッド２０１、２０３の吐出口列と同じ縦サイズの８ｘ８の固定のマスク（ａ），（ｂ）を使用する。マスクは、黒塗りつぶし部分のデータをＯＦＦするようになっている。本実施形態では、千鳥、逆千鳥の補完関係にあるマスクを使用するが、間引きパターンおよび補完関係が成立することに限定するものではない。
【００４３】
記録動作を図１５に示す。記録ヘッド２０１および２０３では、エッジ部のデータを記録するとともに、記録ヘッド２０１では、図１４のマスク（ｂ）、記録ヘッド２０３では、図１４のマスク（ａ）で間引かれた非エッジ部データが記録される。また、記録ヘッド２０２では、非エッジ部のデータが記録される。
【００４４】
このように記録することで、実施形態１と同様に記録方向によらずエッジのきれいな画像を出力することができる。さらに、非エッジ部に低浸透性の黒インクを高浸透性の黒インクより先に塗布することにより、記録媒体へのインクの浸透性を緩和し、非エッジ部（黒枠１５００）の黒濃度を向上させることができる。
【００４５】
［実施形態４］
本実施形態が、実施形態３と異なる点は、実施形態２同様、エッジ部のデータを間引くとともに、後から記録される低浸透インクによるエッジ部の記録率を高くしている点である。
【００４６】
図１６に本実施の形態における記録ヘッド２０１〜２０３に供給するデータのフローを示す。非エッジ部データ６０３は、記録ヘッド２０２に供給される。さらに、記録ヘッド２０１に供給するか記録ヘッド２０３に供給するかを選択（１６０１）した後、間引き処理（１６０２）をする。間引き処理後の記録ヘッド２０１に供給するデータを非エッジ＿データＡ、記録ヘッド２０３に供給するデータを非エッジ＿データＢとする。一方、エッジ部データは、記録方向判定（１６０３）された後、間引きマスク選択（１６０４）し、間引き処理（１６０５）をした後、記録ヘッド２０１、２０３に供給するデータを決定する。エッジ部の間引き処理後の記録ヘッド２０１に供給するデータをエッジ＿データＣ、記録ヘッド２０３に供給するデータをエッジ＿データＤとする。その後、非エッジ_データＡとエッジ_データＣをＡＮＤしたデータを記録ヘッド２０１に供給し、非エッジ_データＢとエッジ_データＤをＡＮＤしたデータを記録ヘッド２０３に供給する。
【００４７】
本実施形態では、間引き処理として図１７に示すように、記録ヘッド２０１、２０３の吐出口列と同じ縦サイズの８ｘ８の固定のマスク（ａ）（ｂ）（ｃ）を使用する。間引き処理１６０２では、記録ヘッド２０３用にマスク（ａ）、記録ヘッド２０１用にマスク（ｂ）を使用する。間引き処理１６０５では、図１７のマスク（ｃ）を使用する。なお、間引きパターンに関しては特に限定するものではなく、マスク（ａ）とマスク（ｂ）の補完関係に関しても特に限定するものではない。
【００４８】
本実施形態の記録動作を図１８に示す。まず、走査方向Cにキャリッジ２１７を走査しながら、図７の上半分のデータを記録する動作に関して説明する。非エッジ部データは、記録ヘッド２０２に供給するとともに、間引き処理１６０２をした後、記録ヘッド２０１と２０３に供給されるデータを決定する。一方、エッジ部データは、記録方向判定（１６０３）した後、記録ヘッド２０１に供給するデータに対して図１７（ｃ）の間引きマスクをかけ、記録ヘッド２０３に供給するデータに対しては間引きマスクをかけない。前記決定された記録ヘッド２０１、２０３に供給する非エッジデータとエッジデータとをＡＮＤして記録ヘッド２０１、２０３に供給する。
【００４９】
次に、走査方向Bにキャリッジ２１７を走査しながら、図７の下半分のデータを記録する動作に関して説明する。非エッジ部データは、記録ヘッド２０２に供給するとともに、間引き処理１６０２をした後、記録ヘッド２０１と２０３に供給されるデータを決定する。一方、エッジ部データは、記録方向判定（１６０３）した後、記録ヘッド２０３に供給するデータに対して図１７（ｃ）の間引きマスクをかけ、記録ヘッド２０１に供給するデータに対しては間引きマスクをかけない。決定された記録ヘッド２０１、２０３に供給する非エッジデータとエッジデータとの論理積（ＡＮＤ）を記録ヘッド２０１、２０３に供給する。
【００５０】
これにより、実施形態３同様、記録方向によらずエッジのきれいな画像を出力し、かつ、非エッジ部（黒枠１８００）において低浸透性の黒インクを高浸透性の黒インクより先に塗布することにより、記録媒体へのインクの浸透性を緩和し、黒濃度を向上させることができる。さらに、実施形態２と同様に、高浸透性の黒インクが記録媒体に浸透した後の低浸透インクの量を多くすることで、外周部分において低浸透性の黒インクと高浸透インクの混合を抑制することができる。それによって、外周部の低浸透性の黒インクの塗布量は減少するが、エッジのきれいな画像を出力することができる。
【符号の説明】
【００５１】
１１Ｌ、１２、１１Ｒ  記録ヘッド
２０１〜２０６  記録ヘッド
２０７〜２１２  インクタンク
３００  インクジェット記録装置
３０１  記録制御部
Ｎ１１  第二のノズル列
Ｎ１２  第一のノズル列
【図１】
2012040871.tif 000003
【図２】
2012040871.tif 000004
【図３】
2012040871.tif 000005
【図４】
2012040871.tif 000006
【図５】
2012040871.tif 000007
【図６】
2012040871.tif 000008
【図７】
2012040871.tif 000009
【図８】
2012040871.tif 000010
【図９】
2012040871.tif 000011
【図１０】
2012040871.tif 000012
【図１１】
2012040871.tif 000013
【図１２】
2012040871.tif 000014
【図１３】
2012040871.tif 000015
【図１４】
2012040871.tif 000016
【図１５】
2012040871.tif 000017
【図１６】
2012040871.tif 000018
【図１７】
2012040871.tif 000019
【図１８】
2012040871.tif 000020